(57)【特許請求の範囲】
【請求項１】
電子光学式レンズ系の、エネルギーに依存する１階、１次の収差並びに３階の球面収差を補正する補正装置であって、当該補正装置は７つの四極子（Ｑ１〜Ｑ７）を有する少なくとも１つの７個組四極子と、当該７個組四極子のそれぞれの内部で励起する少なくとも５つの八極子（Ｏ１〜Ｏ７）とを有しており、前記四極子は中央の対称面（ＺＳ）に対して対称に直線軸に沿って励起可能に配置される、ことを特徴とする補正装置。
【請求項２】
少なくとも３つの前記四極子（Ｑ２，Ｑ４，Ｑ６）は電磁的である、請求項１記載の補正装置。
【請求項３】
前記八極子（Ｏ１〜Ｏ７）は前記対称面（ＺＳ）に対して対称に励起可能に配置されている、請求項１または２記載の補正装置。
【請求項４】
幾何学的に同じ２つの７個組四極子（Ｓ１，Ｓ２）は、直列に相前後して直線軸（Ｚ）に沿って配置されている、請求項１から３までのいずれか１項記載の補正装置。
【請求項５】
第１の前記７個組四極子（Ｓ１）の四極子場（Ｑ１〜Ｑ７）と、第２の前記７個組四極子（Ｓ２）の四極子場（Ｑ８〜Ｑ１４）は、相互に逆対称に励起可能に配置されている、請求項４記載の補正装置。
【請求項６】
２つの前記７個組四極子（Ｓ１，Ｓ２）のあいだの中央面（ＺＭ）に別の八極子（Ｏ１０）が励起可能に配置されている、請求項４または５記載の補正装置。
【請求項７】
各７個組四極子（Ｓ１，Ｓ２）における八極子（Ｏ１〜Ｏ１９）は、前記７個組四極子（Ｓ１，Ｓ２）の中央の対称面（ＺＳ１，  ＺＳ２）に対して対称に励起可能に配置され、前記２つの７個組四極子（Ｓ１，  Ｓ２）の前記八極子（Ｏ１〜Ｏ１９）は、前記７個組四極子（Ｓ１，Ｓ２）のあいだの中央面（ＺＭ）に対して対称に励起可能に配置される、請求項４から６までのいずれか１項記載の補正装置。
【請求項８】
各７個組四極子（Ｓ１，Ｓ２）における八極子（Ｏ１〜Ｏ１９）は、前記７個組四極子（Ｓ１，Ｓ２）の中央の対称面（ＺＳ１，ＺＳ２）に対して逆対称に励起可能に配置され、前記２つの７個組四極子（Ｓ１，Ｓ２）の前記八極子（Ｏ１〜Ｏ１９）は、前記７個組四極子（Ｓ１，Ｓ２）のあいだの中央面（ＺＭ）に対して逆対称に励起可能に配置される、請求項４から６までのいずれか１項記載の補正装置。
【請求項９】
各７個組四極子（Ｓ１，Ｓ２）における八極子（Ｏ１〜Ｏ１９）の励起は、前記７個組四極子の中央の対称面（ＺＳ１，ＺＳ２）に対して対称な励起と逆対称な励起の重畳であり、前記２つの７個組四極子（Ｓ１，Ｓ２）の前記八極子（Ｏ１〜Ｏ１９）の励起は、前記７個組四極子（Ｓ１，Ｓ２）のあいだの中央面（ＺＭ）に対して対称な励起と逆対称な励起との重畳である、請求項４から６までのいずれか１項記載の補正装置。
【請求項１０】
前記八極子（Ｏ１〜Ｏ１９）の一部は十二重極またはそれ以上の多重極として構成されており、八極子場の方向は静電気的に前記直線軸（Ｚ）を中心に回転可能である、請求項４から９までのいずれか１項記載の補正装置。
【請求項１１】
前記八極子（Ｏ１〜Ｏ１９）の一部は電磁的である、請求項４から１０までのいずれか１項記載の補正装置。
【請求項１２】
前記八極子（Ｏ１〜Ｏ１９）の一部において、６つの多重極場が励起可能である、請求項４から１１までのいずれか１項記載の補正装置。
【請求項１３】
軸上の基本軌道および軸外れの基本軌道（Ｘα，Ｙβ，Ｙδ，Ｘγ）は各７個組四極子（Ｓ１，Ｓ２）において、前記７個組四極子（Ｓ１，Ｓ２）の中央の対称面（ＺＳ１，ＺＳ２）に対して対称または逆対称であって、第１の前記７個組四極子と第２の前記７個組四極子（Ｓ１，Ｓ２）において前記７個組四極子（Ｓ１，Ｓ２）のあいだの中央面（ＺＭ）に対して逆対称である、請求項４から１２までのいずれか１項記載の補正装置。
【請求項１４】
前記補正装置は、少なくとも１４個の四極子（Ｑ１〜Ｑ１４）と１５個の八極子（Ｏ１〜Ｏ１９）を有し、前記少なくとも１４個の四極子（Ｑ１〜Ｑ１４）と前記１５個の八極子（Ｏ１〜Ｏ１９）が軸（Ｚ）に沿って励起可能である、請求項１から１３までのいずれか１項記載の補正装置。
【請求項１５】
電子光学式レンズ装置（Ｌ１，Ｌ２）を有する電子光学式結像系であって、前記電子光学式レンズ装置は第１の面を第２の面に結像し、請求項１から１４までのいずれか１項記載の補正装置（Ｋ）を有している、ことを特徴とする電子光学式結像系。
【請求項１６】
前記電子光学式レンズ装置は第１のレンズと第２のレンズ（Ｌ１，Ｌ２）を有しており、前記補正装置（Ｋ）は第１のレンズ（Ｌ１）と第２のレンズ（Ｌ２）とのあいだの放射路に配置されている、請求項１５記載の電子光学式結像系。
【発明の詳細な説明】
【０００１】
【発明の属する技術分野】
本発明は電子光学的なレンズ系の１階（Ordnung)、１次(Grad)の色収差並びに３階の幾何収差(geometrische Aberration)を補正する補正装置に関する。
【０００２】
【従来の技術】
相応する補正装置はDE４２０４５１２A１から公知である。この補正装置は、合計して６つの四極子と、四極子に重なる八極子を有する。ここでこの四極子のポテンシャルは中央面に対して逆対称に励起される。さらなる八極子は中央面に配置される。この補正装置は望遠鏡系を構成する。このような補正装置によって電子光学的なレンズ系の３階の球面収差（開口収差）と、１階、１次の軸上および軸外れの色彩上の色収差とを補正することが可能である。軸外光束（schiefer Buendel)）のコマ収差はこのような系によって次のように補正される。すなわち補正されるべきレンズのコマ収差を有していない点が補正装置の節点に置かれることによって補正される。この補正装置によって補正できないのは、軸外光束の非点収差、歪曲および像面湾曲のような３次の軸外れの幾何収差である。従って全体的にこのような補正装置は比較的小さな画像領域を有する系、例えば通常は透過型電子顕微鏡でのみ使用可能である。これに対して大きな画像領域を必要とする系、例えば電子式投射型リソグライフィとともに使用することはできない。
【０００３】
【特許文献１】
ドイツ連邦共和国特許公開第４２０４５１２号公報
【０００４】
【発明が解決しようとする課題】
本発明の課題は電子光学式レンズ系の１階、１次のエネルギーに依存する軸上および軸外れの収差も、３階の球面収差も補正でき、電子光学式レンズ系の歪曲、像面湾曲および軸外光束の非点収差の補正にも拡張できる補正装置を提供することである。
【０００５】
【課題を解決するための手段】
上記の課題は本発明によって、７つの四極子（Q１〜Q７）を有する少なくとも１つの７個組四極子と、この７個組四極子内で励起可能な少なくとも５つの八極子（O１〜O５）を有しており、前記四極子は中央面（ＺＳ）に対して対称に直線軸に沿って励起可能である、電子光学式レンズ系のエネルギーに依存する１階、１次の収差並びに３階の球面収差を補正する補正装置によって解決される。
【０００６】
【発明の実施の形態】
本発明の有利な実施例では、１階、２次の軸上および軸外れのエネルギーに依存する収差と、３階の全幾何収差も少なくとも特徴的な面に対して補正可能である。
【０００７】
本発明の有利な実施例は従属請求項に記載されている。
【０００８】
本発明の補正装置は少なくとも７つの四極子、すなわち１つの７個組四極子を直線軸に沿って有する。これらの四極子は中央面に対して対称に、直線軸に沿って励起可能である。さらに本発明の補正装置では、補正装置内の異なる位置で少なくとも５つの八極子場が励起可能である。
【０００９】
本発明では、系が７つの四極子だけを有する場合、全ての軸上または軸外れの基本軌道が補正装置の中央面に対して対称または逆対称になることが明らかである。このような対称性によって球面収差を補正することができる。しかもコマ収差および歪曲が付加的に生じることはない。補正されるべき電子光学式レンズ系がコマ収差を有している限り、補正装置の場の軌道の零点がレンズ系ないしはレンズのコマ収差の無い点に置かれ、これによって系全体にもコマ収差がなくなる。
【００１０】
合わせて７つの四極子全体のうち少なくとも３つは電磁的である。すなわち四極子静電場と四極子磁場との重畳からなる。電磁的な四極子によって、エネルギーに依存した軸上の収差を補正することができる。しかもエネルギーに依存した軸外れの収差は生じない。四極子の対称性によって、場の形成(Feldstrahlen)が零点を有する節平面でエネルギーに依存する軸外れの収差が生じない。従ってこのような節平面は、補正装置のアクロマティックな面を構成し、同時に補正装置のコマ収差の無い面を構成する。
【００１１】
補正装置の節平面を、補正されるべき結像系のアクロマテックな面に配置することができない場合、軸外れのエネルギーに依存する収差に磁的な四極子強度と電気的な四極子強度を適切に配分することによっても対応することができる。これは電気的な四極子強度が７個組の対称面に対して逆対称の大きさを有し、しかし値は７個組の対称面に対して逆対称の磁的な四極子強度の大きさと反転した極性と同じであることによって行われる。この場合に全四極子強度は７個組の対称面に対して対称である。電気的な四極子強度および磁的な四極子強度の対称の部分はその関係において、軸上の色収差が補正されるように相互調整される。電気的な四極子強度および磁的な四極子強度の逆対称の部分はその関係において、軸外れの色収差が補正されるように相互調整される。
【００１２】
補正装置が付加的なコマ収差および歪曲を生じさせないように、八極子は７個組四極子の中央面に対して対称に励起される。
【００１３】
球面収差の３つの成分をできるだけ相互に独立して補正できるように、第１の八極子ペアは第１の四極子の領域と最後の四極子の領域において励起可能であり、第２の八極子ペアは、第２の四極子の領域と第６の四極子の領域において励起可能であり、さらなる八極子は中央の四極子の領域において励起可能である。しかし中央の四極子の領域で八極子が励起するのと択一的に、別の八極子ペアが第３の四極子の領域と第５の四極子の領域において励起することも可能である。球面収差の成分のとりわけ有利な分離は、八極子場が四極子場と空間的に重畳する場合に実現される。しかし厳格に重畳される必要ではない。例えばわずかな位置の偏差は許される。
【００１４】
とりわけ有利なのは、幾何学的に等しい２つの７個組四極子を直列に並んで直線軸に沿って配置することである。このような配置によって全ての３階の幾何収差並びに１階、１次の、エネルギーに依存する軸上の収差と１階、２次のエネルギーに依存する軸上の収差とが補正される。３階の全幾何収差ととりわけ分離された補正は、７個組四極子間の中央面で別の八極子が励起可能な場合に実現される。
【００１５】
この補正装置は、八極子に対する２つの特徴的な励起モードを有する。第１の特徴的な励起モードでは各７個組四極子における八極子場は各７個組四極子の中央面に対して対称に励起され、２つの７個組四極子の八極子は７個組四極子間の中央面に対して対称に励起される。このような作動モードで補正装置はコマ収差および歪曲を有していない。すなわち付加的なコマ収差および歪曲を生じさせない。
【００１６】
第２の特徴的な励起モードでは、各７個組四極子における八極子は各７個組四極子の中央面に対して逆対称に励起され、２つの７個組四極子の八極子場は７個組四極子のあいだの面と逆対称に励起される。このよう作動モードでは付加的な球面収差、像面湾曲および補正装置の軸外光束の非点収差は付加的に生じない。どちらの作動モードが選択されるのかは、補正されるべき電子光学式レンズ系の対称特性に依存する。電子光学的な円レンズ系の像面湾曲および球面収差は不可避であるので、実際には八極子場の励起は常に対称の成分を有する。八極子励起の対称の成分と逆対称の成分を重畳することで任意の円レンズ系の３次の幾何収差が基本的に補正される。
【００１７】
さらに７個組四極子間の中央面に別の八極子を励起可能に配置することは有利である。このような付加的な八極子によって、７個組四極子の中央面における２つの八極子の励起とともに球面収差を軸外れの像収差（Bildfehler)にほぼ依存しないで補正することができる。
【００１８】
さらに、八極子場または八極子場の少なくとも一部が、十二重極またはそれ以上の多重極の励起によって形成されるのは有利である。これによって八極子場の方向は電気的に直線軸を中心に回転することができる。これによってコマ収差の方位的な成分、軸外光束の非点収差および歪曲を補正することができる。
【００１９】
さらに八極子の少なくとも一部が電磁的である、すなわち同じように、交差する八極子電場と八極子磁場との重畳からなることは有利である。これによって、１階、３次のエネルギーに依存する誤差が部分的に補正され、ひいては低減される。
【００２０】
八極子（O１〜O１９）の一部において、付加的に６つの場が励起可能である。
【００２１】
６つの多重極場が形成され、５階の優勢（dominant)な幾何収差が補正されるのは有利である。
【００２２】
軸上の基本軌道および軸外れの基本軌道は本発明に即した補正装置で、各７個組四極子において、各７個組四極子の中央面に対して対称または逆対称である。
【００２３】
（上述の従来技術ＤＥ４２０４４１２に記載されているように）、第１の７個組のＸＺ交面（Schnitt)における基本軌道の特性は、第２の７個組のＹＺ交面における相応の基本軌道の特性に相応し、その逆も相応する。
【００２４】
３階の全収差と、エネルギーに依存する１階、１次の収差とを補正する相応の補正装置は、少なくとも１４個の四極子場と１５個の八極子場を有する。これらは直線軸に沿って異なる適切な位置で励起可能である。
【００２５】
相応の補正装置は有利には電子光学式結像システ内で使用される（例えば電子式投射型リソグラフィで使用される）。これは第１の面を第２の面に縮小して結像する。この種の電子写真的な結像系は少なくとも２つのレンズを有し、補正装置はこれらのレンズの間に配置される。
【００２６】
以下で本発明を図示された実施例に基づきより詳細に説明する。
【００２７】
【実施例】
図１には（Q１〜Q７）によって直線軸（Ｚ）に沿って励起される四極子場（Q１〜Q７）の特性および強度が示されている。四極子（Q１〜Q７）は中央の対称面（ＺＳ）に対して対称である。ここで対称面（ＺＳ）は、四極子場に関する対称面でもあり、基本軌道に対する対称面でもある。ここで対称面とは、それに関して四極子のポテンシャルが対称であり、近軸の軌道（paraxiale Bahnen）が対称または逆対称である面のことである。
【００２８】
四極子（Q１〜Q７）の一部分、すなわち補正装置の相互に対称な２つの半分部分それぞれにおける少なくとも３つの四極子のペアは電磁的である。すなわち相互に垂直の四極子静電場と四極子磁場との重畳からなり、軸上の色収差を補正する。これに適しているのは２つの外側の四極子（Q１, Q７）を除いた全ての他の四極子である。なぜならそこで軸上の基本軌道（Ｘα, Ｙβ）の軸との距離が激しく異なるからである。場の軌道ないしは軸外れの軌道は通常、（Ｘγ）と（Ｙδ）であらわされる。対称面（ＺＳ）に対して場の軌道（Ｘγ, Ｙδ）は逆対称であって、軸上の軌道（Ｘα, Ｙβ）は対称である。補正装置の望遠鏡系の節平面は（Ｚ１）ないしは（Ｚ２）で示される。節平面（Ｚ１, Ｚ２）は次のような特徴を有する。すなわち節平面のうちの１つの節平面にある対象物が結像比率１：１で他の節平面に結像されるという特徴を有する。
【００２９】
３次の球面収差の３つの成分を補正するために、対称性を維持して５つの八極子（O１〜O５）が必要である。八極子（O１〜O５）は相応に示された矢印によって示されている。軸（Ｚ）に沿った個々の八極子の位置は、基本軌道の特性に関連して次のように選択される。すなわち球面収差の３つの成分が相互にほぼ独立して補正されるように選択される。１つの八極子ペア（O１, O５）は次のような位置に調整される。すなわち第１の四極子（Ｑ１）の上流側の領域および最後の四極子（Ｑ７）の下流側の領域のように、その位置でビーム（Strahl)
がほぼ回転対称である位置である。構成技術上の理由から、これらの八極子を最初の四極子（Ｑ１）と最後の四極子（Ｑ７）に重ねることもできる。これによって八極子場の円レンズの場との重畳も、補正装置の前ないしは補正装置の後で回避される。さらなる八極子のペア（O２, O４, O３）は有利には非点収差的な中間像の領域に置かれる。すなわち基本軌道のうちの１つの基本軌道の零通過に置かれる。なぜならこれによってさらなる収差補正装置との充分な分離が保証されるからである。
【００３０】
図１に破線で示されているように、対称面（ＺＳ）における八極子（O３）の代わりに、２つの八極子（O６, O７）を第３の四極子ないし第５の四極子に重畳させることもできる。さらに対称面（ＺＳ）の領域に配置された四極子（Ｑ４）を空間的に離された２つの四極子に分割することもできる。
【００３１】
図２には、図１の７個組四極子に相応して構成された２つの７個組四極子部分系（Ｓ１, Ｓ２）からなる系全体が示されている。このような７個組部分系はそれぞれ、自身の７個組対称面（ＺＳ１, ＺＳ２）に対して対称に構成されている。しかし２つの７個組四極子部分系（Ｓ１, Ｓ２）は、四極子強度に関して系全体の中央面（ＺＭ）に対して逆対称である。系全体は合わせて１４個の四極子（Ｑ１〜Ｑ１４）と１９個の八極子（O１〜 O１９）を有する。八極子はここでも再び矢印（O１〜 O１９）によって示されている。中央面（ＺＭ）に関する系全体の逆対称性によって、２つの部分系のＸＺ交面における基本軌道とＹＺ交面における基本軌道が入れかわる。これは例えば第１の７個組（Ｓ１）におけるＸα軌道の特性が、第２の７個組（Ｓ２）におけるＹβ軌道の特性に相当すること、またはその逆を意味する。これと相似することが場の軌道（Ｙδ）および（Ｘγ）にも当てはまる。図１の補足で、第１の７個組（Ｓ１）において付加的な八極子（O４,  O６）を第３の四極子と第４の四極子（Ｑ３,  Ｑ４）とのあいだと付加的に系と相応して第４の四極子と第５の四極子（Ｑ４,  Ｑ５）とのあいだに置くこと、および対称な八極子（O１４）と（O１６）を第２の７個組（Ｓ２）に相応して置くこと、並びに八極子（O１０）を中央面（ＺＭ）に置くことで、３階の幾何学的な全像収差を完全に補正することができる。図２の実施例において、可能な電磁的四極子の数が多いことと、より高い対称性とによってこのような実施例では、１階、２次の色収差も補正され、系全体がアポクロマティックになる。
【００３２】
四極子場の励起は、四極子場が２交面の対称性を有するようにおこなわれる。これによって全ての四極子の主要交面が１つの共通の平らな交面に位置する。ここで交面とは光軸が存在する面である。面とは例えば対称面（ＺＳ１, ＺＳ２）および中央面（ＺＭ）のような、光軸に対して垂直な平らな面のことである。面および交面に対称性を加えることによって、図２に示された四極子システムの一次独立の３次の収差係数の数が、５つの一次独立の係数に低減する。２交面の対称性によって四極子のポテンシャルは、ｘ２およびｙ２に依存する（他方で円レンズのポテンシャルはｘ２＋ｙ２にのみ依存する）。基本軌道の対称性／逆対称性によって、補正装置の方位的な収差係数は消える。対称面（ＺＳ１, ＺＳ２）に対する場の軌道の逆対称性、および軸上の軌道の対称性によって、場の軌道の指数の合計が奇数である全ての項が消える。これによって、個々の対称な四極子システム（すなわち個々の７個組四極子）のコマ収差および歪曲並びに倍率の色依存性が消える。
【００３３】
図３には（電子式投射型リソグラフィで使用されるような）テレセントリックなデュプレット系と関連する本発明の補正装置が示されている。テレセントリックなデュプレットは磁気レンズ（Ｌ１）を有している。この磁気レンズの表側にある焦点面には結像されるべきマスク（Ｍ）が配置される。補正装置の前方の節平面（Ｚ１）は、第１のレンズ（Ｌ１）の裏側の焦点面と一致する。補正装置（Ｋ）には第２の磁気レンズ（Ｌ２）が続く。第２の磁気レンズの表側の焦点面は、補正装置（Ｋ）の後方の節平面（Ｚ２）と一致する。マスク（Ｍ）の像（Ｗ）は、第２の磁気レンズ（Ｌ２）の裏側の焦点面に生じる。そこには露光されるべきウェハが置かれている。系全体の倍率ないしは縮小率は２つの磁気レンズ（Ｌ１）と（Ｌ２）との焦点距離の比にによって決められる。２つのレンズ（Ｌ１, Ｌ２）の場を倍率に相応してスケーリングすることと、２つのレンズにおける流れ方向を逆にすることによって、系全体のラーモア回転並びに歪曲および倍率の色収差の等方性および異方性の成分が消える。
【００３４】
図２に示されたような構成を有する補正装置（Ｋ）によって、系全体の３階の全幾何収差並びに１階、１次の色収差並びに１階、２次の色収差が補正される。系全体はアポクロマートであって、このアポクロマートは、３階の全ての幾何学的な像収差を有していない。このようなアポクロマートは同時に結像する電子のエネルギー幅が相対的に大きい場合、大きな対象物領域の結像を可能にする。
【００３５】
アポクロマート系を実現する場合、１階、１次の色収差を完全には補正せず、１階、１次の色収差の残存収差が、１階、３次の残りの色収差を、できるだけ大きなエネルギー帯域幅に対してできるだけ小さく保持するように調整するのは有利である。
【図面の簡単な説明】
【図１】補正装置内で基本軌道の流れを有する、本発明の補正装置をあらわす基本図である。
【図２】図１に相当する２つの補正装置から成る、本発明に即した補正装置の第２の実施例をあらわす基本図である。
【図３】本発明に即した補正装置を有する電子式投射系をあらわす基本図である。
【符号の説明】
Ｚ１, Ｚ２  節平面
Ｌ１, Ｌ２  レンズ
Ｑ１〜Ｑ７  四極子
Ｏ１〜１９  八極子
Ｋ  補正装置
ＺＳ１, ＺＳ２  対称面
Ｘα, Ｙβ  軸上の軌道
Ｙδ, Ｘγ  軸外れの軌道
ＺＭ  中央面
Ｍ  マスク
W  像
【図１】
0004299533.tif 000002
【図２】
0004299533.tif 000003
【図３】
0004299533.tif 000004